(57)【要約】【課題】水門が備える鋼製の板材の厚みの減少による危険度を適性に把握して水門の健全性を適正に評価する。【解決手段】水門１０が備える主桁１４のフランジ１４Ｂの板厚みに基づいて水門１０の健全性を評価する水門１０の管理方法であって、水門１０の応力解析を実施してフランジ１４Ｂ内の位置毎に板厚の減少量の許容量を求め、フランジ１４Ｂ内の位置毎の板厚の減少量の許容量を視認可能とする指標としての色分けして塗装を、フランジ１４Ｂに施すことを特徴とする。【選択図】図１
2013142671.tif 000002
【特許請求の範囲】
【請求項１】
水門が備える鋼製の板材の厚みに基づいて水門の健全性を評価する水門の管理方法であって、
水門の応力解析を実施して水門内の位置毎に前記板材の厚みの減少量の許容量を求め、水門内の位置毎の前記許容量を視認可能とする指標を、水門に記すことを特徴とする水門の管理方法。
【請求項２】
前記指標は、水門内の位置毎に前記許容量に応じた色分けされた塗装である請求項１に記載の水門の管理方法。
【請求項３】
前記板材は主桁であり、
前記指標は、前記主桁の両端から中央にかけて前記許容量が小さくなることを視認可能とすることを特徴とする請求項１又は請求項２に記載の水門の管理方法。
【請求項４】
鋼製の板材を備える水門であって、
水門内の位置毎の前記板材の厚みの減少量の許容量を視認可能とする指標が記されていることを特徴とする水門。
【発明の詳細な説明】
【技術分野】
【０００１】
本発明は、水門の管理方法及び水門に関する。
【背景技術】
【０００２】
鋼製の水門では、主桁等の板状の鋼材の厚みが腐食等により減少すると危険度が高まるため、板状の鋼材の厚みを計測することにより水門の健全性を評価している（例えば、特許文献１参照）。
【先行技術文献】
【特許文献】
【０００３】
【特許文献１】特開２００３−７５３２７号公報
【発明の概要】
【発明が解決しようとする課題】
【０００４】
ところで、主桁に生じる引張応力は両端から中央にかけて大きくなるため、主桁の両端と中央とでは板厚の減少量に応じた危険度が相違する。即ち、水門内の位置毎に応力状態が相違することにより、水門内の位置毎に板厚の減少量に応じた危険度が相違する。
【０００５】
本発明は、上記事情に鑑みてなされたものであり、水門が備える鋼製の板材の厚みの減少による危険度を適性に把握して水門の健全性を適正に評価することを課題とするものである。
【課題を解決するための手段】
【０００６】
本発明に係る水門は、水門が備える鋼製の板材の厚みに基づいて水門の健全性を評価する水門の管理方法であって、水門の応力解析を実施して水門内の位置毎に前記板材の厚みの減少量の許容量を求め、水門内の位置毎の前記許容量を視認可能とする指標を、水門に記すことを特徴とする。
【０００７】
前記水門の管理方法において、前記指標は、水門内の位置毎に前記許容量に応じた色分けされた塗装であってもよい。
【０００８】
前記水門の管理方法において、前記板材は主桁であってもよく、前記指標は、前記主桁の両端から中央にかけて前記許容量が小さくなることを視認可能としてもよい。
【０００９】
また、本発明に係る水門は、鋼製の板材を備える水門であって、水門内の位置毎の前記板材の厚みの減少量の許容量を視認可能とする指標が記されていることを特徴とする。
【発明の効果】
【００１０】
本発明によれば、水門が備える鋼製の板材の厚みの減少による危険度を適性に把握して水門の健全性を適正に評価することができる。
【図面の簡単な説明】
【００１１】
【図１】一実施形態に係る水門を示す斜視図である。
【図２】一実施形態に係る水門の応力解析結果を示す図である。
【発明を実施するための形態】
【００１２】
以下、図面を参照しながら、本発明を実施するための形態を説明する。図１は、一実施形態に係る水力発電所に設置された水門１０を示す斜視図である。この図に示すように、水門１０は、夫々鋼製のスキンプレート１２、複数の横主桁１４、複数の縦補助桁１６、及び、複数の横補助桁１８を備えている。
【００１３】
各横主桁１４はスキンプレート１２上でその幅方向一端から他端まで延びており、スキンプレート１２から垂直に立ち上がるウェブ１４Ａと、ウェブ１４Ａの先端からその上下に広がるフランジ１４Ｂとを備えている。また、複数の横主桁１４は平行に配されている。また、縦補助桁１６と横補助桁１８とはスキンプレート１２上に格子状に配されている。
【００１４】
図２は、水門１０の応力解析結果を示す図である。ここで、水門１０が水中に降ろされている間、水門１０には水圧が作用し、横主桁１４には引張応力が生じる。ここで、水門１０（水門扉）の幅方向両端は戸当たり（不図示）に収容されて拘束されているため、スキンプレート１２に生じる曲げモーメントは、幅方向両端から中央にかけて次第に大きくなる。このため、図２に示すように、横主桁１４に生じる引張応力は両端から中央にかけて次第に大きくなる。
【００１５】
ここで、横主桁１４のフランジ１４Ｂは、鋼製の板材であるため、腐食が起り、腐食が進行すると板厚が減少する。そして、フランジ１４Ｂに生じる引張応力が板厚に応じた許容量を超えると、フランジ１４Ｂは破断する。このため、フランジ１４Ｂの板厚を計測して横主桁１４の健全性を管理する必要がある。
【００１６】
そして、上述したように、フランジ１４Ｂに生じる引張応力は両端から中央にかけて次第に大きくなるため、フランジ１４Ｂ内の位置毎に、その位置における引張応力に応じた板厚の減少量の許容量が相違する。
【００１７】
そこで、本実施形態に係る水門１０の管理方法では、水門１０における水圧により生じる引張応力の状態を解析し、フランジ１４Ｂ内の位置毎に、その位置における引張応力に対して許容できる板厚の減少量を求める。そして、図１に示すように、フランジ１４Ｂ内の位置毎の板厚の減少量の許容量を視認できるように、フランジ１４Ｂに色分けして塗装する。例えば、図示するように、板厚の減少量の許容量が２ｍｍの場合は赤色、３ｍｍの場合は橙色、４ｍｍの場合は黄色というように色分けする。
【００１８】
これにより、フランジ１４Ｂ内の位置毎の板厚の減少量に応じた危険度を把握したうえで、横主桁１４の腐食による危険度を評価することができ、水門１０の健全性を適正に評価することができる。
【００１９】
以上、本発明を実施するための形態について説明したが、上記実施形態は本発明の理解を容易にするためのものであり、本発明を限定して解釈するためのものではない。本発明はその趣旨を逸脱することなく変更、改良され得るとともに、本発明にはその等価物も含まれる。
【００２０】
例えば、上記実施形態では、色分けした塗装により水門１０のフランジ１４Ｂ内の位置毎の板厚の減少量の許容量を視認可能とした。しかし、等高線や等圧線のように板厚の減少量の許容量が等しい地点を線で結ぶことにより、水門１０のフランジ１４Ｂ内の位置毎の板厚の減少量の許容量を視認可能としてもよい。
【００２１】
また、上記実施形態では、横主桁１４のフランジ１４Ｂ内の位置毎の板厚の減少量の許容量を視認可能としたが、縦主桁等の水門が備える他の板材の位置毎の厚みの減少量の許容量を視認可能としてもよい。
【符号の説明】
【００２２】
１０  水門、１２  スキンプレート、１４  横主桁（板材）、１４Ａ  ウェブ、１４Ｂ  フランジ（板材）、１６  縦補助桁、１８  横補助桁
【図１】
2013142671.tif 000003
【図２】
2013142671.tif 000004